(57)【要約】      （修正有）【課題】靴ひもをきつく係止することができる靴の留め具手段を提供すること。【解決手段】２つのひも穴つまみの間のほぼ中心位置あたりと対応する中央固定部材１１と、該中央固定部材に連結されている少なくとも一つの引張り部材１２とからなる引張り手段１０と、一本の可撓性ひも２００から、中央固定部材と合わせて、牽引部３２としての閉鎖側と摺動部３１としての開口側３３とになるように曲がっており、牽引部が前記引張り手段の引張り部材に連結されており、摺動部が牽引部から両端を有するように中央固定部材まで延伸した後、両端がそこに係止されている少なくとも一つの可撓性ループ３０と、可撓性ループの開口部の両端にそれぞれ滑動可能に挿通されている２つのブッシュ４１と、開口を中央固定部材に近い入り口３３１と牽引部に近い出口３３２とに仕切るように、前記２つのブッシュに接続されている押付け部材４２とを有する滑動手段４０とを備えている。【選択図】図３
2005177009.tif 000002
【特許請求の範囲】
【請求項１】
アッパー上の、互いに並列してある２つのひも穴つまみの間の履き口に近い箇所に配置され、前記２つのひも穴つまみのひも穴を交差挿通する靴紐を固定調整する留め具手段において、
前記２つのひも穴つまみの間のほぼ中心位置あたりと対応する中央固定部材と、該中央固定部材に連結されている少なくとも一つの引張り部材とからなる引張り手段と、
一本の可撓性ひもから、前記中央固定部材と合わせて、牽引部としての閉鎖側と摺動部としての開口側とになるように曲がっており、前記牽引部が前記引張り手段の引張り部材に連結されており、前記摺動部が前記牽引部から両端を有するように前記中央固定部材まで延伸した後、前記両端がそこに係止されている少なくとも一つの可撓性ループと、
前記可撓性ループの前記開口部の両端にそれぞれ滑動可能に挿通されている２つのブッシュと、前記開口を前記中央固定部材に近い入り口と前記牽引部に近い出口とに仕切るように、前記２つのブッシュに接続されている押付け部材とを有する滑動手段とを備えており、
それにより、靴に配置されると、靴ひもを２つのひも穴つまみのひも穴を交差挿通した後、下から上へ前記入り口を挿通してから、上から下へ前記出口を挿通している状態になるため、前記靴ひもの端部を引っ張って前記押付け部材を前記牽引部へ滑動させ、靴ひもを前記押付け部材と前記牽引部との間に挟持することができることを特徴とする靴の留め具手段。
【請求項２】
前記引張り手段の前記引張り部材は前記中央固定部材に連結されている左右２つの環状のものであり、
前記可撓性ループ及び前記滑動手段は、それぞれ前記左右２つの引張り部材と対応して２セットから構成されていることを特徴とする請求項１に記載の靴の留め具手段。
【請求項３】
前記引張り手段の中央固定部材は、少なくとも、その上に、前記２つの可撓性ループの前記摺動部の両端を挿入して係止している通孔が形成してある固定座を備えていることを特徴とする請求項２に記載の靴の留め具手段。
【請求項４】
前記引張り手段の中央固定部材は、更に、前記固定座の上面からリ突出して前記引張り手段を固定しているリベットを有することを特徴とする請求項３に記載の靴の留め具手段。
【請求項５】
前記固定座に、固定環が前記固定座を回して前記リベットを介して固定されていることを特徴とする請求項４に記載の靴の留め具手段。
【請求項６】
前記中央固定部材は、前記引張り手段の引張り部材の周りに縛り付けられている固定環を備えており、
前記可撓性ループの摺動部の両端が前記固定環内に固定されていることを特徴とする請求項２に記載の靴の留め手段。
【請求項７】
前記中央固定部材は、前記引張り手段の引張り部材の周りに縛り付けられている固定環を備えており、
前記引張り手段は、前記靴ひもと同一の材質から構成されており、
前記引張り手段の前記引張り部材は前記中央固定部材の前記固定環内に連結されている２つの環状のものであり、
前記可撓性ループ及び前記滑動手段は、前記引張り手段の２つの引張り部材の一つだけと対応して１セットから構成されていることを特徴とする請求項１に記載の靴の留め具手段。
【請求項８】
前記可撓性ループに、制動ブロックが前記牽引部と前記滑動手段との間にあるように前記摺動部の前記両端に挿通されて外嵌していることを特徴とする請求項１に記載の靴の留め具手段。
【請求項９】
前記引張り手段は、前記靴ひもと同一の材質から構成されており、前記引張り手段の前記引張り部材は前記中央固定部材に連結されている一体的な２つの紐状のものであり、
それにより、靴に配置されると、前記引張り手段が環状の靴ひも端部と合わせて蝶結びに形成されることができることを特徴とする請求項１に記載の靴の留め具手段。
【発明の詳細な説明】
【技術分野】
【０００１】
本発明は留め具手段に関し、特に、靴に配置され、靴ひもを固定する靴の留め具手段に関する。
【背景技術】
【０００２】
図１に示すように、米国特許第６５７１４３８号に開示されている二重の蝶結び付き靴ひも装置１は、靴のアッパー２上の、互いに並列してある２つのひも穴つまみ２０１の間の履き口２０２に近い箇所に配置されている。この二重の蝶結び付き靴ひも装置１は、靴ひも１０１と、靴ひも１０１に摺動可能に外嵌している留め具手段１０２と、留め具手段に１０２に固定されている結び目１０３と、結び目１０３に左右一体的に連結されて留め具手段１０２に固定されている２つのループ１０４とを備えている。留め具手段１０２は、ケース１０５と、ケース１０５内に設けられているばね１０６と、ケース１０５内に設けられてばね１０６の弾力によって押付けられている挟持部材１０７とを有する。
【０００３】
留め具手段１が靴に配置されると、靴ひも１０１が２つのひも穴つまみ２０１のひも穴を交差挿通してから、ケース１０５内に挿入され、靴ひも１０１の端部がばね１０６と挟持部材１０７との間に挟持されて係止される。しかしながら、前記係止を解除する場合、使用者が指でケース１０５を撮んで挟持部材１０７をばね１０６の弾力に抗して押圧する必要があるため、挟持部材１０７に前記押圧の効力を図るために十分な押圧面積を有する必要があり、それに、ケース１０５の方は、挟持部材１０７を収容する必要があるのみならず、ばね１０６を収容すること及び靴紐１０１の両端部に同時に挿通されることが必要であるので、留め具手段（１０２）全体の大きさを小さくすることができず、靴全体の外観に悪影響を齎すという欠点がある。
【０００４】
また、図２に示すのは従来の靴の留め具手段の他の例である。図示のように、この留め具手段３は板体であって、その中央位置の両側にそれぞれ一つずつ形成されている２つの入り口としての通孔３０１，３０１と、２つの通孔３０１の外側にそれぞれ一つずつ形成されている２つの出口としての通孔３０２，３０２と、２つの通孔３０２内にそれぞれ一つずつ挿通されている２つの板ばね３０３，３０３と、２つの板ばね３０３の外側にそれぞれ一つずつ設けられている２つの押え部３０４，３０４とを有する。
【０００５】
この留め具手段３が靴に配置されると、靴ひも４０１が下から上へ通孔３０１を挿通してから、上から下へ通孔３０２を挿通している状態になるため、その時、靴ひも４０１が靴内の足によって両側へ引張られて板ばね３０３を押え部３０４へ押し付けるので、靴ひも４０１の端部４０２が板ばね３０３と押え部３０４との間に挟持されて係止されることができる。
【０００６】
前記係止を解除する場合、指で留め具手段３を上へ持ち上げれば済むが、留め具手段３に使用者の指が操作するために十分な面積を有する必要があり、それに板ばね３０３の構造によって十分な厚さを有する必要もあるので、留め具手段３の大きさを小さくすることができない。また、留め具手段３は剛性であるので、靴ひもの張力や変形に応じて変形することができず、靴ひもをきつく係止することができないので、前記靴ひもに対する係止はまだまだ理想的とは言えない。
【発明の開示】
【発明が解決しようとする課題】
【０００７】
上記に鑑みて、本発明の主な目的は、靴ひもをきつく係止することができる靴の留め具手段を提供しよとすることにある。
【０００８】
また、本発明の他の目的は、その構成部材の一部乃至は大分が蝶結びの一部または全部ともなり、剛性構造の部分が小さく、靴に配置される場合、靴全体の外観を美化することができる靴の留め具手段を提供しようとすることにある。
【課題を解決するための手段】
【０００９】
前記目的を達成するために、本発明は、アッパー上の、互いに並列してある２つのひも穴つまみの間の履き口に近い箇所に配置され、前記２つのひも穴つまみのひも穴を交差挿通する靴紐を固定調整する留め具手段において、前記２つのひも穴つまみの間のほぼ中心位置あたりと対応する中央固定部材と、該中央固定部材に連結されている少なくとも一つの引張り部材とからなる引張り手段と、一本の可撓性ひもから、前記中央固定部材と合わせて、牽引部としての閉鎖側と摺動部としての開口側とになるように曲がっており、前記牽引部が前記引張り手段の引張り部材に連結されており、前記摺動部が前記牽引部から両端を有するように前記中央固定部材まで延伸した後、前記両端がそこに係止されている少なくとも一つの可撓性ループと、前記可撓性ループの前記開口部の両端にそれぞれ滑動可能に挿通されている２つのブッシュと、前記開口を前記中央固定部材に近い入り口と前記牽引部に近い出口とに仕切るように、前記２つのブッシュに接続されている押付け部材とを有する滑動手段とを備えていることを特徴とする靴の留め具手段を提供する。
【発明の効果】
【００１０】
それにより、本発明の靴の留め具手段が靴に配置されると、靴ひもを２つのひも穴つまみのひも穴を交差挿通した後、下から上へ前記入り口を挿通してから、上から下へ前記出口を挿通している状態になるため、前記靴ひもの端部を引っ張って前記押付け部材を前記牽引部へ滑動させ、靴ひもを前記押付け部材と前記牽引部との間に挟持することができる。従って、本発明の靴の留め具手段において、前記可撓性ループが靴ひもの張力や変形に応じて変形し、前記滑動手段と合わせて靴ひもの端部を前記押付け部材と前記牽引部との間にきつく挟持させることができる。
【００１１】
また、前記引張り手段は、前記靴ひもと同一の材質から構成されており、前記引張り手段の前記引張り部材は前記中央固定部材に連結されている一体的な左右２つの環状のものであり、前記可撓性ループ及び前記滑動手段は、それぞれ前記左右２つの引張り部材と対応して２セットから構成されていることが好ましい。このように、本発明の靴の留め具手段が靴に配置されると、前記引張り手段の環状の引張り部材が靴ひもの端部と合わせて蝶結びになることができ、前記滑動手段及び前記可撓性ループが前記引張り手段に遮蔽されることができるので、靴の外観を美化することができる。もちろん、前記引張り手段の前記引張り部材が前記中央固定部材に連結されている一体的な２つの紐状のものであり、端部が封閉環状になる靴ひもと合わせて蝶結びになってもよい。
【発明を実施するための最良の形態】
【００１２】
以下、図面を参照しながら、本発明の靴の留め具手段の好ましい実施形態について説明する。なお、以下の実施形態では、本発明の靴の留め具手段が靴に配置された場合を例として説明する。
【００１３】
図３乃至図８に示すのは本発明の靴の留め具手段の第１の実施形態である。本実施形態における靴の留め具手段１００は、図３及び図４に示すように、靴のアッパー３００上の、互いに並列してある２つのひも穴つまみ３１０の間の履き口３２０に近い箇所に配置されており、２つのひも穴つまみ３１０のひも穴を交差挿通する靴紐２００を固定調整するものであり、引張り手段１０と、２つの可撓性ループ３０と、２つの滑動手段４０とを備えている。
【００１４】
引張り手段１０は２つのひも穴つまみ３１０の間のほぼ中心位置あたりに配置されている中央固定部材１１と、中央固定部材１１に連結固定されている左右２つの環状の引張り部材１２とからなっている。左右２つの環状の引張り部材１２は一本の前記靴ひもと同一の材質の可撓性ひもから∞形に曲がってなり、その２つの環状の間には交叉部１２１が形成されている上、交叉部１２１に第１の貫通孔１２２が更に形成されている。中央固定部材１１は、その上端部が第１の貫通孔１２２を貫通して引張り部材１２を固定しているリベット２４と、リベット２４を保持固定している固定座２０とを有する。固定座２０は、板体であって、その上に、左右２つの第１の通孔２１、左右２つの第２の通孔２２、そして、その中央位置に第２の貫通孔２３が形成されている。リベット２４の下端部が固定座２０１の第２の貫通孔２３に挿入してそこに固定されている。また、図６に示すように、固定座２０に、固定環５０が引張り部材１２の交叉部１１及び固定座２０１を回ってリベット２４を介して下から固定されている。固定環５０も靴ひも２００と同一の材質から構成されている。
【００１５】
２つの可撓性ループ３０は、それぞれ一本の透明な可撓性ナイロンひもから、中央固定部材１１の固定座２０と合わせて、牽引部３２としての閉鎖側と摺動部３１としての開口側とになるように曲がっている。牽引部３２がＵ字型を呈しており、引張り手段１０の引張り部材１２に連結されている。摺動部３１が牽引部３２から両端３１１を有するように中央固定部材２０まで延伸した後、両端３１１がそれぞれ固定座２０のそれに対応する側の第１の通孔２１及び第２の通孔２２を挿通して係止されている。
【００１６】
２つの滑動手段４０は、それぞれ可撓性ループ３０の開口側の両端３１１にそれぞれ滑動可能に挿通されている２つのブッシュ４１と、開口３３を中央固定部材１１に近い入り口３３１と牽引部３２に近い出口３３２とに仕切るように、２つのブッシュ４１に接続されている押付け部材４２とを有する。押付け部材４２の牽引部３２に面している側面に前後方向に延伸している凹陥部４２１が形成されている。
【００１７】
使用者が始めて靴を履く前に、靴ひも２００を２つのひも穴つまみ３１０のひも穴を交差挿通した後、下から上へ入り口３３１を挿通してから、上から下へ出口３３２を挿通する。靴を履こうとする場合、足を靴内に入れ、靴ひも２００の両端部２１０を引っ張ることにより、押付け部材４２を牽引部３２へ滑動させ、靴ひも２００を靴内の足によって両側へ引張って靴ひも２００の両端部２１０を押付け部材４２の凹陥部４２１と牽引部３２との間に挟持することができる（図５及び図７参照）。可撓性ループ３０が靴ひも２００の張力や変形に応じて変形し、滑動手段４０と合わせて靴ひも２００の両端部２１０を押付け部材４２と牽引部３２との間にきつく挟持させることができる。
【００１８】
逆に、靴を脱ごうとする場合、引張り手段１０の引張り部材１２を上へ引っ張ることにより、牽引部３２を滑動手段４０を遠ざかった方向へ移動させることができる（図８参照）ので、牽引部３２と滑動手段４０との間の距離を緩めて前記挟持を解除することができる。
【００１９】
また、本実施形態において、引張り手段１０の引張り部材１２が靴ひも２００の両端部２１０と合わせて蝶結びになり、固定座２０と、可撓性ループ３０と、滑動手段４０とをその蝶結びに遮蔽することができる。
【００２０】
次に、図９に示すのは本発明の靴の留め具手段の第２の実施形態である。本実施形態の留め具手段１００ａの前記第１の実施形態と異なる点は、中央固定部材が前記第１の実施形態における固定座２０及びリベット２４に代えて引張り部材１２ａの交叉部１２１ａの周りに縛り付けられている固定環５０ａを備えてなり、可撓性ループ３０ａの摺動部３１ａの両端３１１ａが固定環５０ａ内に固定されていることにある。このように、留め具手段１００ａの構造を簡単化することができる。
【００２１】
図１０及び図１１に示すのは本発明の靴の留め具手段の第３の実施形態である。本実施形態の留め具手段１００ｂの前記第１の実施形態と異なる点は、中央固定部材が前記第１の実施形態における固定座２０及びリベット２４に代えて引張り部材１２ｂの交叉部１２１ｂの周りに、縛り付けられている固定環５０ｂを備えてなり、引張り部材１２ｂは前記中央固定部材の固定環５０ｂ内に連結されており、また、可撓性ループ３０ｂ及び滑動手段４０ｂは、引張り手段１０ｂの右側の引張り部材１２ｂだけと対応して１セットから構成されていることにある。このように、靴ひも２００ｂの左端部２１０ｂが引張り手段１０ｂの交叉部に１２１ｂに連結され、右端部２１０ｂが前記第１の実施形態と同様に、下から上へ前記入り口を挿通してから、上から下へ出口３３２を挿通している状態になる。従って、本実施形態においても、靴ひも２００ｂの右端部２１０ｂを引っ張ることにより、靴ひも２００ｂの右端部２１０ｂを可撓性ループ３０ｂと滑動手段４０ｂとの間に挟持することができる。
【００２２】
そして、図１２及び図１３に示すのは本発明の靴の留め具手段の第４の実施形態である。本実施形態の留め具手段１００ｃの前記第１の実施形態と異なる点は、可撓性ループ３０ｃに、制動ブロック７０が牽引部３２ｃと押付け部材４２ｃとの間にあるように摺動部３１ｃの両端３１１ｃに挿通されて外嵌していることにある。このように、靴ひも２００ｃの両端部２１０ｃを引っ張ることにより、靴ひも２００ｃの両端部２１０ｃを押付け部材４２ｃと制動ブロック７０及び牽引部３２ｃとの間に挟持し、靴ひも２００ｃをもっときつく挟持することができる。
【００２３】
また、図１４および図１５に示すのは、本発明の靴の留め具手段の第２の実施形態の変形例である。本変形例の留め具手段１００ｄの前記第２の実施形態と異なる点は、引張り手段１０ｄの引張り部材１２ｄは中央固定部材１１ｄに連結されている一体的な２つの紐状のものであることにある。このように、引張り手段１０ｄは端部が封閉環状になる２つの靴ひも２００ｄと合わせて蝶結びになる。
【産業上の利用可能性】
【００２４】
上記のように、本発明は、靴ひもをきつく係止することができ、その構成部材の一部乃至は大部分が蝶結びの一部または全部ともなり、剛性構造の部分が小さく、靴に配置される場合、靴全体の外観を美化することができる靴の留め具手段を提供することができるので、靴ひもがついている靴に適用される。
【図面の簡単な説明】
【００２５】
【図１】米国特許第６５７１４３８号に開示されている二重の蝶結び付き靴ひも装置を示す斜視分解図である。
【図２】従来の他の靴の留め具手段を示す断面図である。
【図３】本発明の第１の実施形態の靴の留め具手段を示す斜視分解図である。
【図４】前記第１の実施形態の靴の留め具手段が靴に配置された状態を示す斜視図である。
【図５】靴ひもが前記第１の実施形態の留め具手段に挿通された状態を示す断面図である。
【図６】前記図５の６−６断面図である。
【図７】前記図５の７−７断面図である。
【図８】靴ひもに対する挟持を解除した場合を示す説明図である。
【図９】本発明の第２の実施形態の靴の留め具手段を示す斜視図である。
【図１０】本発明の第３の実施形態の靴の留め具手段が靴に配置された状態を示す一部平面図である。
【図１１】前記第３の実施形態において靴ひもに対する挟持を解除した場合を示す説明図である。
【図１２】本発明の第４の実施形態が靴に配置された状態を示す断面図である。
【図１３】前記図１２の１３−１３断面図である。
【図１４】本発明の第２の実施形態の変形例の靴の留め具手段を示す斜視図である。
【図１５】前記変形例の留め具手段が靴に配置された状態を示す説明図である。
【符号の説明】
【００２６】
１      二重の蝶結び付き靴ひも装置
１０１、４０１、２００、２００ｂ、２００ｃ、２００ｄ  靴ひも
３、１０２、１００、１００ａ、１００ｂ、１００ｃ、１００ｄ  留め具手段
１０３  結び目
１０４  ループ
１０５  ケース
１０６  ばね
１０７  挟持部材
２、３００  アッパー
２０１  ひも穴つまみ
２０２、３２０  履き口
３０１、３０２  通孔
３０３  板ばね
３０４  押え部
４０２  端部
１０、１０ａ、１０ｂ、１０ｄ  引張り手段
１１、１１ｄ  中央固定部材
１２、１２ｂ、１２ｄ  引張り部材
１２１、１２１ａ、１２１ｂ  交叉部
１２２  第１の貫通孔
２０    固定座
２１    第１の通孔
２２    第２の通孔
２３    第２の貫通孔
２４    リベット
３０、３０ａ、３０ｂ  可撓性ループ
３１、３１ｃ  摺動部
３１１、３１１ａ、３１１ｃ  両端
３２、３２ｃ  牽引部
３３    開口
３３１  入り口
３３２  出口
４０、４０ｂ  滑動手段
４１    ブッシュ
４２、４２ｃ  押付け部材
４２１  凹陥部
５０、５０ａ、５０ｂ  固定環
７０    制動ブロック
２１０、２１０ｂ、２１０ｃ、２１０ｄ  両端部
３１０  ひも穴つまみ
【図１】
2005177009.tif 000003
【図２】
2005177009.tif 000004
【図３】
2005177009.tif 000005
【図４】
2005177009.tif 000006
【図５】
2005177009.tif 000007
【図６】
2005177009.tif 000008
【図７】
2005177009.tif 000009
【図８】
2005177009.tif 000010
【図９】
2005177009.tif 000011
【図１０】
2005177009.tif 000012
【図１１】
2005177009.tif 000013
【図１２】
2005177009.tif 000014
【図１３】
2005177009.tif 000015
【図１４】
2005177009.tif 000016
【図１５】
2005177009.tif 000017